(57)【要約】      （修正有）【課題】動物人形だけでなる置物、又は動物人形と遮蔽用物品との組み合わせた置物の観賞用としての機能を拡張することにより、静的な置物でありながら、一定の特殊な動きを感じさせることが可能で、見る者に意外性や趣味感、癒し感などを与えられる置物を提供する。【解決手段】動物人形１０を備える。動物人形１０は、肢体が前足を上げた立上り姿勢で自立し、その立上り姿勢において肢体の胴体部１２を左右いずれかの側に傾けている。胴体部１２の頂部に前向きの顔頭部１３を備える。動物人形１０に加えて、動物人形１０の前側に置かれてその肢体の一部を前方から覆い隠す遮蔽用物品２０を有していてもよい。動物人形１０は、たとえば猫に似せて形作られた肢体を有する。【選択図】図３
0003192150.tif 000002
【実用新案登録請求の範囲】
【請求項１】
４足歩行動物に似せて形作られた肢体を有する動物人形を備える置物であって、
上記動物人形は、肢体が前足を上げた立上り姿勢で自立し、その立上り姿勢において肢体の胴体部を左右いずれかの側に傾けていると共に、その胴体部の頂部に前向きの顔頭部を備えていることを特徴とする置物。
【請求項２】
上記動物人形に加えて、その動物人形の前側に置かれてその肢体の一部を前方から覆い隠す遮蔽用物品を有していると共に、上記動物人形が、その肢体の胴体部を当該動物人形の前側に置かれた上記遮蔽用物品の側方へ迫り出す形状に傾けている請求項１に記載した置物。
【請求項３】
上記動物人形が猫に似せて形作られた肢体を有し、その肢体の前足が胴体部の前側に位置している請求項１または請求項２に記載した置物。
【考案の詳細な説明】
【技術分野】
【０００１】
本考案は、４足歩行動物に似せて形作られた肢体を有する動物人形の動きのある表情を観賞して楽しむことのできる工夫がなされた置物に関する。
【背景技術】
【０００２】
猫や犬、熊といった種々の４足歩行動物に似せて形作られた肢体を有する動物人形は広く知られている。また、上記の動物人形は、床の間や飾り棚などを装飾する観賞用としての特性を持つ置物としても提供されていて、旅館やホテル、その他の人の集まる場所や一般家庭においても広く使用されている。
【０００３】
他方、上記の置物に、観賞用としての特性のほかに、何らかの特別な機能を付与することも行われている。たとえば、先行例では、中空に形作った４足歩行動物としての猫の肢体の頭部を胴体部に対して左右自在に動かすことができるようにすると共に、胴体部に対して種類形状の異なる頭部を付け替え可能とし、さらに、胴体部に花挿し穴を具備させている。このものでは、頭部を胴体部に装着しておくことによって観賞用としての機能が発揮される一方で、胴体部の花挿し穴に花を生けることによって花瓶としての機能を発揮させることもできるようになっている（たとえば特許文献１参照）。
【先行技術文献】
【特許文献】
【０００４】
【特許文献１】特開２０００−１９０６９８号公報
【考案の概要】
【考案が解決しようとする課題】
【０００５】
しかしながら、肢体を４足歩行動物に似せて形作られた従来の置物は、４足歩行動物の静的でありふれた姿態を表現していたに過ぎず、動きを感じさせるような動的で突飛な姿態を表現させて見る者に意外性を与える効果を発揮させにくかった。また、動物人形の肢体が静的に表現されていた従来の置物では、動物人形の「可愛さ」や「茶目っ気」などの表情を見る者に感じさせて、見る者の趣味感に訴えたり、見る者に癒し感を感じさせたりするのに十分ではなかった。このことは、上掲の特許文献１によって提供されている置物についても同様に云えることである。
【０００６】
本考案は、上記したような状況に鑑みてなされたものであり、観賞用としての置物が本来的に具備している床の間や飾り棚などを装飾するという特性をさらに拡張させ、静的な置物であるにもかかわらず一定の特殊な動的な動きを表現させ得るような対策を講じた置物を提供することを目的とする。また、本考案は、１物品としての置物を２つの要素の組み合わせによって構成することによって、その置物の一方の要素の動的な動きの表現力を他方の要素によって顕著に助長させ、その置物を見る者に意外性や癒し感を感じさせることができ、見る者の趣味感に訴えやすくなる対策を講じた置物を提供することを目的とする。
【課題を解決するための手段】
【０００７】
本考案に係る置物は、４足歩行動物に似せて形作られた肢体を有する動物人形を備えている。そして、上記動物人形は、肢体が前足を上げた立上り姿勢で自立し、その立上り姿勢において肢体の胴体部を左右いずれかの側に傾けていると共に、その胴体部の頂部に前向きの顔頭部を備えている。
この置物によると、動物人形自体が静止して動かないにもかかわらず、動物人形が、その肢体の前足を上げた立上り姿勢で自立しているという構成や、動物人形が、立上り姿勢において肢体の胴体部を左右いずれかの側に傾けているという構成により、見る者に動物人形の動的な動きを感じさせることができるようになり、そのことが、動物人形を見る者に意外性や癒し感を感じさせたり、見る者の趣味感に訴えたりすることに役立つ。
【０００８】
本考案では、上記動物人形に加えて、その動物人形の前側に置かれてその肢体の一部を前方から覆い隠す遮蔽用物品を有していると共に、上記動物人形が、その肢体の胴体部を当該動物人形の前側に置かれた上記遮蔽用物品の側方へ迫り出す形状に傾けている、という構成を採用することが可能である。
【０００９】
この構成を備えた置物は、上記した形状の肢体を有する動物人形と遮蔽用物品との組み合わせによって構成されていて、遮蔽用物品が、動物人形の肢体の胴体部の一部を覆い隠すようになっている。そのため、動物人形の前方からは、遮蔽用物品の後側の動物人形が、その胴体部や顔頭部を遮蔽用物品の側方へ迫り出して、遮蔽用物品の後から覗いているように見えることになる。その結果、この置物によると、動物人形自体が静的で動かないにもかかわらず、見る者にとっては、動物人形に、覗き見をしているような一定の特殊な動的な動きを感じることができるようになり、意外性や趣味感、癒し感を期待することができるようになる。
【００１０】
本考案では、上記動物人形が猫に似せて形作られた肢体を有し、その肢体の前足が胴体部の前側に位置している、という構成を採用することが可能である。この構成であると、猫の肢体に似せて形作られた動物人形によって、上記したような覗き見をしている猫を表現させることができる。
【考案の効果】
【００１１】
以上のように、本考案に係る置物は、床の間や飾り棚などを装飾する観賞用としての特性をさらに拡張させたことにより、静的な置物であるにもかかわらず、その置物に一定の特殊な動的な動きを表現させることが可能になる。そのため、見る者に意外性や趣味感、癒し感などを与えることを期待することのできる置物を提供することが可能になる。
【図面の簡単な説明】
【００１２】
【図１】本考案の実施形態に係る置物の正面図である。
【図２】図１のII矢視図である。
【図３】他の実施形態による置物の使用状態説明図である。
【図４】さらに他の実施形態に係る置物の使用状態説明図である。
【図５】さらに他の実施形態に係る置物の使用状態説明図である。
【考案を実施するための形態】
【００１３】
図１は本考案の実施形態に係る置物の正面図、図２は図１のII矢視図である。図１及び図２に示した置物は動物人形１０でなる。この動物人形１０は、猫又は子猫である４足歩行動物に似せて形作られた肢体を有している。肢体を形作る材料には、陶器、石膏、紙、木、布、粘土といった様々な材料を使用することが可能である。図例の猫としての動物人形１０の肢体は、左右の前足１１を上げた立ち上がり姿勢で自立していて、しかも、左右の前足１１を、胴体部１２の前側で動物人形１０から見て左方に伸ばした形態になっている。さらに、肢体の胴体部１２は、図示のように動物人形１０から見て右側に傾いている。さらに、顔頭部１３は、起立姿勢の肢体の胴体部１２の頂部で、あたかも首を少し伸ばしたような表情を保って正面を向く状態（前向き）になっている。
【００１４】
この実施形態の置物によると、動物人形１０はそれ自体が静止して動かないにもかかわらず、動物人形１０が、図１のように肢体の胴体部１２を、動物人形から見て右側に傾けているために、見る者に動物人形が意思をもって身体を傾けているかのような動的な動きを感じさせることができるようになる。この効果は、動物人形１０の肢体を立上り姿勢で自立させておくことによってさらに助長させることができる。これらの作用により、動物人形１０を見る者に意外性や癒し感を感じさせたり、見る者の趣味感に訴えさせやすくなる。なお、図例では、肢体の胴体部１２が、動物人形１０から見て右側に傾いているけれども、この点は、肢体の胴体部１２が、動物人形１０から見て左側に傾いていてもよい。
【００１５】
図３は他の実施形態による置物の使用状態説明図である。この実施形態では、図１及び図２に示した動物人形１０が遮蔽用物品２０と組み合わされて、床の間や飾り棚、その他の置き場所に置いた状態で観賞される。この状態での使用時には、図３のように動物人形１０と遮蔽用物品２０とを、たとえば赤毛氈のような敷物３０の上に置いておくことが装飾性を高める上で好ましい。
【００１６】
図３の使用状態では、遮蔽用物品２０の例として飾り鏡餅が用いられている。そして、この遮蔽用物品２０が、動物人形１０の前側に置かれていて、その動物人形の１０の肢体の一部、具体的には、後足と胴体部１２の下半部を覆い隠している。
【００１７】
動物人形１０と遮蔽用物品２０とを上記のような位置関係で前後に隔てて置いておくと、動物人形１０の前方からは、遮蔽用物品２０の後側の動物人形１０がその顔頭部１３を遮蔽用物品２０の側方へ迫り出して、動物人形１０が遮蔽用物品２０の後から前方を覗いているように見える。そのため、この置物によると、動物人形１０自体が静止して動かないにもかかわらず、見る者にとっては、動物人形１０に、覗き見をしているような一定の特殊な動的な動きが感じられるようになり、動物人形１０を見る者が意外性や癒し感を感じたり、動物人形１０の「可愛さ」や「茶目っ気」を感じたり、動物人形１０の姿態が見る者の趣味感に訴えることが可能になる。その上、動物人形１０が、その肢体の前足１１を胴体部１２の前側で上げた突飛な立上り姿勢で自立していることに加えて、動物人形１０の肢体の胴体部１２が遮蔽用物品２０の側方に迫り出す形に傾いていることにより、動物人形１０に、覗き見をしているような一定の特殊な動きが顕著に感じられるようになる。
【００１８】
図４はさらに他の実施形態による置物の使用状態説明図である。この実施形態では、遮蔽用物品２０として、動物人形１０の前左方に置いている飾り鈴２３に繋がれた房付き紐２２が用いられている。そして、その紐２２を、図１〜図３に示したものと同様の動物人形１０の肢体の胴体部１２の前側に引き出してその前足１１に絡ませている。この置物によると、動物人形１０の肢体の胴体部１２が顔頭部１３と共に、動物人形１０から見て右側方に傾いていることにより、動物人形１０があたかも紐２２で飾り鈴２３を引張って運んでいるような動きのある表情が表現される。
【００１９】
図５はさらに他の実施形態による置物の使用状態説明図である。この実施形態では、前後に隔てて子猫と子犬の２体の動物人形１０，１０を置き、その前に箱形の遮蔽用物品２０を置いている。そして、遮蔽用物品２０が動物人形１０の肢体の一部である後足と胴体部１２の下半部を覆い隠している。また、２体の動物人形１０,１０にあっては、後側の動物人形１０の肢体の一部が前側の動物人形１０によって覆い隠されている。この実施形態によっても、２体の動物人形１０，１０自体が静止して動かないにもかかわらず、見る者にとっては、動物人形１０，１０に、覗き見をしているような一定の特殊な動きが感じられるようになり、動物人形１０が意外性や趣味感、癒し感を発揮することが期待される。また、動物人形１０，１０が、その肢体の前足１１を胴体部１２の前側で上に上げた突飛な立上り姿勢で自立していることに加えて、動物人形１０の肢体の胴体部１２が遮蔽用物品２０の側方に迫り出す形に曲がっていることにより、動物人形１０に、覗き見をしているような一定の特殊な動きが顕著に感じられるようになる。
【００２０】
本考案において、動物人形１０としては、図示したような猫や犬の肢体を形作ったものに限らず、他の動物の肢体を形作ったもの、たとえば、兎、小熊、蛙といった他の種類の動物の肢体を形作ったものを用いることが可能である。同様に、遮蔽用物品２０にも、図３〜図５に示したもの以外の物品を用い得る。
【００２１】
なお、図１〜図４において、同一又は相応する要素には同一の符号を付してある。
【符号の説明】
【００２２】
１０  動物人形
２０  遮蔽用置物
１３  顔頭部
１１  前足
１２  胴体部
【図１】
0003192150.tif 000003
【図２】
0003192150.tif 000004
【図３】
0003192150.tif 000005
【図４】
0003192150.tif 000006
【図５】
0003192150.tif 000007